(57)【要約】【課題】端子によって一括ゴム栓に亀裂等が入ってシール性能が低下することを防ぐ。【解決手段】本明細書によって開示される防水コネクタＣは、略角筒状の本体部１１を有し、本体部１１の外面から垂直に立ち上がる形態でスタビライザ１４が設けられた端子（雌端子１０）と、端子を収容可能なキャビティ２４が複数形成されたハウジング（雌ハウジング２０）と、各キャビティ２４と対応して複数の貫通孔３２が形成されハウジングの後面に配される一括ゴム栓３０とを備えた防水コネクタＣであって、貫通孔３２の後端開口縁部には、スタビライザ１４によって端子の挿入方向に圧縮される後側圧縮部３５が後方に突出する形態で設けられており、スタビライザ１４の前縁部は、後側圧縮部３５の突出端部に全高に亘って後方から当接する構成とした。【選択図】図１３
2017135006.tif 000002
【特許請求の範囲】
【請求項１】
略角筒状の本体部を有し、前記本体部の外面から垂直に立ち上がる形態でスタビライザが設けられた端子と、
前記端子を収容可能なキャビティが複数形成されたハウジングと、
各キャビティと対応して複数の貫通孔が形成され前記ハウジングの後面に配される一括ゴム栓とを備えた防水コネクタであって、
前記貫通孔の後端開口縁部には、前記スタビライザによって前記端子の挿入方向に圧縮される後側圧縮部が後方に突出する形態で設けられており、前記スタビライザの前縁部は、前記後側圧縮部の突出端部に全高に亘って後方から当接する防水コネクタ。
【請求項２】
前記貫通孔の前端開口縁部には、前記スタビライザによって前記端子の離脱方向に圧縮される前側圧縮部が前方に突出する形態で設けられており、前記スタビライザの後縁部は、前記前側圧縮部の突出端部に全高に亘って前方から当接する請求項１に記載の防水コネクタ。
【発明の詳細な説明】
【技術分野】
【０００１】
本明細書によって開示される技術は、防水コネクタに関する。
【背景技術】
【０００２】
従来、この種の防水コネクタの一例として、特開２０１５−１０３４１６号公報（下記特許文献１）に記載のものが知られている。この防水コネクタは、端子金具を収容可能なキャビティが複数設けられたハウジングの後面に、各キャビティと対応して複数の貫通孔が形成された一括ゴム栓が配された構成とされ、この一括ゴム栓が、各貫通孔と対応して複数の挿通孔が形成されたリアホルダで保持されている。端子金具は、リアホルダの挿通孔から一括ゴム栓の貫通孔を弾性的に拡開して貫通しつつキャビティ内に収容されるようになっている。端子金具が一括ゴム栓を通過したのちは貫通孔が復元縮径することで電線の外周に密着することで、ハウジングの内部がシールされるものとされている。
【先行技術文献】
【特許文献】
【０００３】
【特許文献１】特開２０１５−１０３４１６号公報
【発明の概要】
【発明が解決しようとする課題】
【０００４】
しかしながら、上記の防水コネクタでは、端子金具の略角筒状をなす本体部が、一括ゴム栓の貫通孔を押し広げつつ貫通することになるため、本体部の外面から突出して設けられたスタビライザが貫通孔の内面を径方向（端子金具の挿入方向と交差する方向）に拡径させることにより、亀裂等を発生させるおそれがある。貫通孔の内面に亀裂等が入ると、一括ゴム栓のシール性能が低下することになる。
【課題を解決するための手段】
【０００５】
本明細書によって開示される防水コネクタは、略角筒状の本体部を有し、前記本体部の外面から垂直に立ち上がる形態でスタビライザが設けられた端子と、前記端子を収容可能なキャビティが複数形成されたハウジングと、各キャビティと対応して複数の貫通孔が形成され前記ハウジングの後面に配される一括ゴム栓とを備えた防水コネクタであって、前記貫通孔の後端開口縁部には、前記スタビライザによって前記端子の挿入方向に圧縮される後側圧縮部が後方に突出する形態で設けられており、前記スタビライザの前縁部は、前記後側圧縮部の突出端部に全高に亘って後方から当接する構成とした。
【０００６】
このような構成によると、端子をキャビティに挿入する際に、スタビライザの前縁部が後側圧縮部の突出端部に後方から当接し、後側圧縮部を端子の挿入方向に圧縮させる。後側圧縮部が圧縮されると、後側圧縮部の硬度が高くなり、スタビライザが突き当てられても亀裂等が発生しにくくなる。次に、後側圧縮部の圧縮が限界に至ると、後側圧縮部が径方向（端子の挿入方向と交差する方向）に移動して貫通孔の内面を拡径させるように作用する。この間、端子の挿入は続けて行われているため、貫通孔が拡径した瞬間にスタビライザが貫通孔を一気に通過する。したがって、端子をキャビティに挿入する際にスタビライザによって貫通孔の内面に亀裂等が発生することはない。
【０００７】
本明細書によって開示される防水コネクタは、以下の構成としてもよい。
前記貫通孔の前端開口縁部には、前記スタビライザによって前記端子の離脱方向に圧縮される前側圧縮部が前方に突出する形態で設けられており、前記スタビライザの後縁部は、前記前側圧縮部の突出端部に全高に亘って前方から当接する構成としてもよい。
このような構成によると、端子をキャビティから引き抜く際に、スタビライザの後縁部が前側圧縮部の突出端部に前方から当接し、前側圧縮部を端子の引き抜き方向に圧縮させる。このため、後側圧縮部の圧縮と同じ原理により、貫通孔が拡径した瞬間にスタビライザが貫通孔を一気に通過する。したがって、端子をキャビティから引き抜く際にもスタビライザによって貫通孔の内面に亀裂等が発生することはない。
【発明の効果】
【０００８】
本明細書によって開示される防水コネクタによれば、端子によって一括ゴム栓に亀裂等が入ってシール性能が低下することを防ぐことができる。
【図面の簡単な説明】
【０００９】
【図１】防水コネクタの斜視図
【図２】防水コネクタの正面図
【図３】防水コネクタの背面図
【図４】一括ゴム栓を斜め前方から見た斜視図
【図５】一括ゴム栓を斜め後方から見た斜視図
【図６】一括ゴム栓の側面図
【図７】一括ゴム栓の正面図
【図８】一括ゴム栓の背面図
【図９】図８におけるＢ−Ｂ線断面図
【図１０】図９における一部拡大断面図
【図１１】図２におけるＡ−Ａ線断面図に示した防水コネクタに雌端子を挿入した状態を示した断面図
【図１２】図１１に示した防水コネクタに雌端子を挿入する前の状態を示した断面図
【図１３】雌端子を一括ゴム栓に挿入する途中の状態を示した断面図
【図１４】図１３の状態からさらに雌端子を一括ゴム栓に挿入した状態を示した断面図
【図１５】雌端子を一括ゴム栓から引き抜く途中の状態を示した断面図
【図１６】図１５の状態からさらに雌端子を一括ゴム栓から引き抜いた状態を示した断面図
【図１７】従来構造の問題点を模式的に示した断面図その１
【図１８】従来構造の問題点を模式的に示した断面図その２
【図１９】スタビライザによって後側圧縮部が圧縮される前の状態を模式的に示した断面図
【図２０】スタビライザによって後側圧縮部が圧縮された後の状態を模式的に示した断面図
【発明を実施するための形態】
【００１０】
＜実施形態＞
実施形態を図１から図２０の図面を参照しながら説明する。本実施形態の防水コネクタＣは、図１１に示すように、電線Ｗの端末に接続された雌端子１０と、雌端子１０を収容可能なキャビティ２４が複数形成された雌ハウジング２０と、各キャビティ２４と対応して複数の貫通孔３２が形成され雌ハウジング２０の後面に配される一括ゴム栓３０と、各貫通孔３２と対応して複数の挿通孔４１が形成され一括ゴム栓３０を後方から抜け止めするリアホルダ４０と、を備えて構成されている。雌ハウジング２０には、相手の雄ハウジング（図示せず）との間の嵌合力を助勢するためのレバー２９が装着されている。
【００１１】
雌端子１０は、導電性に優れた金属板をプレス加工して形成され、図１１に示すように、角筒状をなす本体部１１の後方にバレル１２が設けられた構造であって、バレル１２が電線Ｗの端末にかしめられることで接続されている。本体部１１には、相手の雄端子（図示せず）のタブが前方から挿入可能であり、本体部１１内にはタブに弾性接触する弾性接触片（図示せず）が設けられている。
【００１２】
雌端子１０の本体部１１の上面における前端寄りの位置には、キャビティ２４の内壁に設けられたランス２５に係止する係止突部１３が突出形成されている。また、本体部１１の上面における後端位置には、雌端子１０の逆挿入防止用のスタビライザ１４が上方に突出して設けられている。スタビライザ１４は、本体部１１の上面から上方に向けて垂直に立ち上がる形態をなし、スタビライザ１４の前縁部および後縁部は、いずれも雌端子１０の挿入方向と直交する方向に延びる形態とされている。
【００１３】
雌ハウジング２０は合成樹脂製であって２ピースから構成されており、図１から図３に示すように、全体として略方形のブロック状をなし、前側部分が端子収容部２１とされているとともに、後側部分が後面開口の収容凹部２２とされている。収容凹部２２内には、後記するように、一括ゴム栓３０とリアホルダ４０とが収容されるようになっている。
【００１４】
端子収容部２１には、上記した電線Ｗの端末に圧着された雌端子１０を収容するべく前後方向を向いたキャビティ２４が、複数個（図示８個）ずつ４段に亘って整列して形成されている。各キャビティ２４の上面における前端寄りの位置には、雌端子１０の本体部１１の係止突部１３に一次係止するランス２５が形成されている。
【００１５】
端子収容部２１におけるランス２５の形成位置の後方位置には、リテーナ２７が上方から挿入されるリテーナ挿入孔２８が設けられている。リテーナ２７は、図１２に示すように、雌端子１０が挿入される前には、雌端子１０の進入を許容する仮係止位置に保持され、図１１に示すように、雌端子１０が正規位置に挿入された後には、本係止位置に押し込まれて雌端子１０に二次係止して抜け止めを図るようになっている。
【００１６】
雌ハウジング２０の後側部分には、既述したように、一括ゴム栓３０とリアホルダ４０とが収容される収容凹部２２が形成されている。収容凹部２２は、図３に示すように、背面視で四隅に丸みが付けられた略方形状をなしている。一括ゴム栓３０は、図４から図８に示すように、収容凹部２２の奥側に緊密に嵌合される略方形の厚板状に形成されている。一括ゴム栓３０の外周には、２条の外周リップ３１が形成されている。
【００１７】
一括ゴム栓３０には、複数の貫通孔３２が、上記した各キャビティ２４と対応した配列において、前後に貫通した形態で形成されている。各貫通孔３２の長さ方向の中央部には、図示２条の内周リップ３３が形成されている。内周リップ３３は、挿通された電線Ｗの外周に弾性的に密着可能となっている。図９に示すように、各貫通孔３２の前後両端部の内面は、前方または後方に向けて次第に拡径したテーパ状に形成されている。
【００１８】
リアホルダ４０は合成樹脂製であって、図１１に示すように、収容凹部２２の開口側に略緊密に嵌合可能となっている。上記の一括ゴム栓３０とリアホルダ４０とが前後に重ねられた場合の厚さが収容凹部２２の奥行きに相当する。言い換えると、一括ゴム栓３０とリアホルダ４０とが前後に重なった形態で、収容凹部２２内にほぼすっぽりと嵌って収容可能となっている。
【００１９】
リアホルダ４０には、雌端子１０を挿入可能な複数の挿通孔４１が、一括ゴム栓３０の各貫通孔３２に対応した配列において、前後に貫通した形態で形成されている。各挿通孔４１は基本的には、雌端子１０の本体部１１（係止突部１３とスタビライザ１４とを含む）が干渉することなく挿通可能な断面形状を備えている。
【００２０】
リアホルダ４０の左右両側面には、図１に示すように、上下２個ずつのロック突部４２が突出形成されているとともに、収容凹部２２の左右の側壁には、リアホルダ４０が一括ゴム栓３０の後面に重なる正規位置まで押し込まれたところでロック突部４２が嵌って係止するロック孔２３が形成されている。
【００２１】
リアホルダ４０の前面には、一括ゴム栓３０において後方に開口して設けられた圧縮孔３０Ａに圧入される圧縮ピン４３が設けられている。全ての雌端子１０を各キャビティ２４に収容した後、リアホルダ４０を一括ゴム栓３０に組み付けると、各圧縮ピン４３が各圧縮孔３０Ａに圧入され、一括ゴム栓３０を圧縮することになる。これにより、各貫通孔３２の内周面が各電線Ｗの外周面に強く押し当てられて密着し、高いシール性能が得られるようになっている。
【００２２】
さて、図８に示すように、一括ゴム栓３０の後面には、横方向に並んだ複数の貫通孔３２に対して一つの長孔３４が凹設されている。長孔３４は、対応する各貫通孔３２の上側に配されている。この結果、長孔３４と対応する各貫通孔３２との間には、後側圧縮部３５が設けられている。後側圧縮部３５は、図１０に示すように、貫通孔３２の後端開口縁部における上側に配され、長孔３４の奥壁から後方に突出する形態で設けられている。
【００２３】
一方、図７に示すように、一括ゴム栓３０の前面には、縦方向と横方向に交差する形態で格子状に配列された格子壁３６が設けられており、格子壁３６のうち横方向に延びる部分が前側圧縮部３７とされている。各前側圧縮部３７は、最上段のものを除いて、格子壁３６によって囲まれた各窓部３８の下側に配されている。一括ゴム栓３０の前面における格子壁３６の上側には、横方向に並んだ一対の長孔３９が設けられている。図１０に示すように、最上段の前側圧縮部３７は、長孔３９の奥壁から前方に突出する形態で設けられ、それ以外の前側圧縮部３７は、窓部３８の奥壁から前方に突出する形態で設けられている。
【００２４】
続いて、本実施形態の雌端子１０をキャビティ２４に挿入する動作を図１３と図１４の図面を参照しながら説明する。図１３に示すように、雌端子１０の本体部１１を一括ゴム栓３０の貫通孔３２に後方から挿入していくと、スタビライザ１４の前縁部が後側圧縮部３５の突出端部に対して全高に亘って均等な力で後方から当接する。そのまま雌端子１０の挿入を続けると、図１４に示すように、後側圧縮部３５が前方に押し込まれて圧縮された状態に至る。
【００２５】
図１９と図２０を用いて詳しく説明すると、図１９に示す状態では、スタビライザ１４の前縁部が後側圧縮部３５の突出端部に対して線当たり状に当接する。その状態から後側圧縮部３５をスタビライザ１４によって均等に圧縮していくと、スタビライザ１４が後側圧縮部３５よりも高いため、スタビライザ１４の前縁部は、後側圧縮部３５の突出端部に全高に亘って後方から当接する。したがって、後側圧縮部３５の下側にスタビライザ１４が潜り込むことはない。その後、後側圧縮部３５は前後方向（雌端子１０の挿入方向）に圧縮され、図２０に示すように、通常よりも硬度の高い後側圧縮部３５（図示ドット柄の部分）が形成されるため、後側圧縮部３５に亀裂等が入って損傷することはない。この間、雌端子１０の挿入は引き続き行われ、後側圧縮部３５の圧縮が限界を迎えると、後側圧縮部３５が図示上方（貫通孔３２の径方向外側）に移動して貫通孔３２を拡径させると同時に雌端子１０が拡径された貫通孔３２を一気に通過する。これにより、貫通孔３２の内面に亀裂等が入ることを回避できる。
【００２６】
一方、図１７と図１８に示すように、従来の一括ゴム栓１３０では、スタビライザ１４の角部によって貫通孔１３２の開口部がテーパ状に変形してしまい、貫通孔１３２の内部にスタビライザ１４が誘い込まれやすくなる。このため、貫通孔１３２の内面が硬化されない状態のまま、スタビライザ１４が貫通孔１３２の内面を径方向外側に向けて拡径させるように作用するため、貫通孔１３２の内面に亀裂等が入りやすくなる。これに対して本実施形態では、後側圧縮部３５を圧縮させることによってスタビライザ１４が貫通孔３２の内周リップ３３に接触するタイミングをできるだけ遅らせることができるため、貫通孔３２の内面に亀裂等が入らないようになっている。要するに本実施形態では、スタビライザ１４を敢えて後側圧縮部３５に引っ掛けることにより、スタビライザ１４と内周リップ３３が接触することをできるだけ回避するようにしており、スタビライザ１４が瞬間的には内周リップ３３に接触するとしても、亀裂等が入る前にスタビライザ１４が貫通孔３２を通過してしまうため、結果として内周リップ３３に亀裂等が入らないことになる。
【００２７】
次に、本実施形態の雌端子１０をキャビティ２４から引き抜く動作を図１５と図１６の図面を参照しながら説明する。図１５に示すように、スタビライザ１４の後縁部が前側圧縮部３７の突出端部に対して線当たり状に当接し、さらにスタビライザ１４を引き抜いていくと、図１６に示すように、前側圧縮部３７が後方に押し込まれて均等に圧縮された状態に至る。そして、前側圧縮部３７の圧縮が限界を迎えると、前側圧縮部３７が図示上方（貫通孔３２の径方向外側）に移動して貫通孔３２を拡径させると同時に雌端子１０が拡径された貫通孔３２を一気に通過する。これにより、貫通孔３２の内面に亀裂等が入ることを回避できる。
【００２８】
以上のように本実施形態では、雌端子１０をキャビティ２４に挿入する際に、スタビライザ１４の前縁部が後側圧縮部３５の突出端部に後方から当接し、後側圧縮部３５を雌端子１０の挿入方向に圧縮させる。後側圧縮部３５が圧縮されると、後側圧縮部３５の硬度が高くなり、スタビライザ１４が突き当てられても亀裂等が発生しにくくなる。次に、後側圧縮部３５の圧縮が限界に至ると、後側圧縮部３５が径方向（雌端子１０の挿入方向と交差する方向）に移動して貫通孔３２の内面を拡径させるように作用する。この間、雌端子１０の挿入は続けて行われているため、貫通孔３２が拡径した瞬間にスタビライザ１４が貫通孔３２を一気に通過する。したがって、雌端子１０をキャビティ２４に挿入する際にスタビライザ１４によって貫通孔３２の内面に亀裂等が発生することはない。
【００２９】
貫通孔３２の前端開口縁部には、スタビライザ１４によって雌端子１０の離脱方向に圧縮される前側圧縮部３７が前方に突出する形態で設けられており、スタビライザ１４の後縁部は、前側圧縮部３７の突出端部に全高に亘って前方から当接する構成としてもよい。
このような構成によると、雌端子１０をキャビティ２４から引き抜く際に、スタビライザ１４の後縁部が前側圧縮部３７の突出端部に前方から当接し、前側圧縮部３７を雌端子１０の引き抜き方向に圧縮させる。このため、後側圧縮部３５の圧縮と同じ原理により、貫通孔３２が拡径した瞬間にスタビライザ１４が貫通孔３２を一気に通過する。したがって、雌端子１０をキャビティ２４から引き抜く際にもスタビライザ１４によって貫通孔３２の内面に亀裂等が発生することはない。
【００３０】
＜他の実施形態＞
本明細書によって開示される技術は上記記述及び図面によって説明した実施形態に限定されるものではなく、例えば次のような種々の態様も含まれる。
（１）上記実施形態ではスタビライザ１４が本体部１１の上面から上方に突出して設けられているものを例示したが、スタビライザは本体部１１の下面から下方に突出しているものとしてもよい。
【００３１】
（２）上記実施形態では一括ゴム栓３０に前側圧縮部３７と後側圧縮部３５の双方を設けているものの、雌端子１０をキャビティ２４に挿入した後、引き抜かないのであれば、後側圧縮部３５のみを設けた一括ゴム栓としてもよい。
【符号の説明】
【００３２】
Ｃ…防水コネクタ
Ｗ…電線
１０…雌端子
１１…本体部
１４…スタビライザ
２０…雌ハウジング
２４…キャビティ
３０…一括ゴム栓
３２…貫通孔
３５…後側圧縮部
３７…前側圧縮部
【図１】
2017135006.tif 000003
【図２】
2017135006.tif 000004
【図３】
2017135006.tif 000005
【図４】
2017135006.tif 000006
【図５】
2017135006.tif 000007
【図６】
2017135006.tif 000008
【図７】
2017135006.tif 000009
【図８】
2017135006.tif 000010
【図９】
2017135006.tif 000011
【図１０】
2017135006.tif 000012
【図１１】
2017135006.tif 000013
【図１２】
2017135006.tif 000014
【図１３】
2017135006.tif 000015
【図１４】
2017135006.tif 000016
【図１５】
2017135006.tif 000017
【図１６】
2017135006.tif 000018
【図１７】
2017135006.tif 000019
【図１８】
2017135006.tif 000020
【図１９】
2017135006.tif 000021
【図２０】
2017135006.tif 000022